(57)【要約】【課題】より的確に情報の漏洩を防止することの可能なデータ管理システムを提供する。【解決手段】データ管理システム１０は、サーバ装置５０と、バーコードリーダ８０と、制御部９２と、記憶媒体９３とを備える。バーコードリーダ８０は、撮影装置２０（ｍ）のシリアルコードを読み込む。制御部９２は、バーコードリーダ８０によりシリアルコードが読み込まれた際に、記憶媒体９３に記憶されたシリアルコードに対応するステータス情報を出荷状態から入庫状態に変更する。サーバ装置５０は、記憶媒体９３に記憶されたシリアルコードに対応するステータス情報が出荷状態から入庫状態に変更されることに基づいて、シリアルコードに対応する撮影装置２０（ｍ）に初期化指令を送信する。【選択図】図１
2019128649.tif 000002
【特許請求の範囲】
【請求項１】
所定の情報が記憶された第１記憶媒体を有する機器の識別コードを読み込む識別コード読込部と、
複数の前記機器のそれぞれの前記識別コードとステータス情報とが関連付けられて記憶される第２記憶媒体と、
前記識別コード読込部により所定の識別コードが読み込まれた際に、前記第２記憶媒体に記憶された前記所定の識別コードに対応する前記ステータス情報を出荷状態から入庫状態に変更する制御部と、
前記第２記憶媒体に記憶された前記所定の識別コードに対応する前記ステータス情報が出荷状態から入庫状態に変更されることに基づいて、前記第１記憶媒体に記憶された前記所定の情報の初期化指令を、前記所定の識別コードに対応する所定の機器に送信するサーバ装置と、
を備えるデータ管理システム。
【請求項２】
前記機器は、映像データを作成する撮影装置であり、
前記第１記憶媒体には、前記所定の情報として、前記映像データが記憶され、
前記サーバ装置は、前記初期化指令として、前記第１記憶媒体に記憶された前記映像データの初期化指令を前記撮影装置に送信する
請求項１に記載のデータ管理システム。
【請求項３】
前記サーバ装置は、
複数の前記機器のそれぞれに対応する個別情報が記憶された第３記憶媒体を備え、
前記第２記憶媒体に記憶された前記所定の識別コードに対応する前記ステータス情報が出荷状態から入庫状態に変更されることに基づいて、前記第３記憶媒体に記憶されている前記所定の識別コードに対応する前記所定の機器の個別情報を初期化する
請求項１又は２に記載のデータ管理システム。
【発明の詳細な説明】
【技術分野】
【０００１】
本開示は、データ管理システムに関する。
【背景技術】
【０００２】
従来、下記の特許文献１に記載の画像表示システムがある。特許文献１に記載の画像表示システムでは、カメラにより撮像された画像データがリアルタイムでサーバ装置に無線送信されて記憶される。サーバ装置に記憶されている画像データは、パーソナルコンピュータ等で表示することが可能となっている。
【０００３】
このような画像表示システムでは、公衆無線回線網の異常などによりカメラとサーバ装置との間の無線通信が確立できなくなった場合、カメラからサーバ装置に画像データを送信することができなくなる。これは、サーバ装置に記憶されている画像データに欠損を生じさせる要因となる。
【０００４】
そこで、特許文献１に記載の画像表示システムのカメラは、画像データをサーバ装置に送信している際にサーバ装置との無線通信が確立されているか否かを監視している。カメラは、サーバ装置との無線通信が確立されていないと判定したとき、画像データをＳＤカードに記憶させる。その後、カメラは、サーバ装置との無線通信が確立されたと判定したときに、ＳＤカードに記憶されている画像データをサーバ装置に送信することにより、サーバ装置に記憶されている画像データの欠損を補完する。
【先行技術文献】
【特許文献】
【０００５】
【特許文献１】特開２０１６−９２６４７号公報
【発明の概要】
【発明が解決しようとする課題】
【０００６】
ところで、特許文献１に記載されるような画像表示システムでは、複数のカメラを用いることにより、複数のユーザへのカメラの貸し出しが可能となる。しかしながら、異なるユーザにカメラを貸し出す場合、カメラに記憶されているデータの管理が重要となる。すなわち、カメラのＳＤカードには、貸し出し前のユーザに対応する画像データが記憶されているため、このＳＤカードに記憶された画像データが、貸し出し後のユーザに漏洩するようなことがあると好ましくない。
【０００７】
本開示は、こうした実情に鑑みてなされたものであり、その目的は、より的確に情報の漏洩を防止することの可能なデータ管理システムを提供することにある。
【課題を解決するための手段】
【０００８】
上記課題を解決するデータ管理システムは、識別コード読込部と、第２記憶媒体と、制御部と、サーバ装置とを備える。識別コード読込部は、所定の情報が記憶された第１記憶媒体を有する機器の識別コードを読み込む。第２記憶媒体には、複数の機器のそれぞれの識別コードとステータス情報とが関連付けられて記憶されている。制御部は、識別コード読込部により所定の識別コードが読み込まれた際に、第２記憶媒体に記憶された所定の識別コードに対応するステータス情報を出荷状態から入庫状態に変更する。サーバ装置は、第２記憶媒体に記憶された所定の識別コードに対応するステータス情報が出荷状態から入庫状態に変更されることに基づいて、第１記憶媒体に記憶された所定の情報の初期化指令を、所定の識別コードに対応する所定の機器に送信する。
【０００９】
この構成によれば、返却された所定の機器の識別コードが識別コード読込部により読み込まれると、サーバ装置から所定の機器に初期化指令が送信される。これにより、所定の機器は、サーバ装置から送信される初期化指令に基づいて、第１記憶媒体に記憶された所定の情報を初期化する。これにより、返却された所定の機器の識別コードが識別コード読込部により読み込まれると、所定の機器の第１記憶媒体に記憶された情報が自動的に初期化されるため、より的確に情報の漏洩を防止することが可能となる。
【００１０】
上記のデータ管理システムにおいて、機器は、映像データを作成する撮影装置であり、第１記憶媒体には、所定の情報として、映像データが記憶され、サーバ装置は、初期化指令として、第１記憶媒体に記憶された映像データの初期化指令を撮影装置に送信することが好ましい。
【００１１】
この構成によれば、撮影装置の記憶媒体に記憶された映像データの漏洩をより的確に防止することが可能となる。
上記のデータ管理システムにおいて、サーバ装置は、複数の機器のそれぞれに対応する個別情報が記憶された第３記憶媒体を備え、第２記憶媒体に記憶された所定の識別コードに対応するステータス情報が出荷状態から入庫状態に変更されることに基づいて、第３記憶媒体に記憶されている所定の識別コードに対応する所定の機器の個別情報を初期化することが好ましい。
【００１２】
この構成によれば、サーバ装置の第３記憶媒体に記憶された機器の個別情報の漏洩をより的確に防止することが可能となる。
【発明の効果】
【００１３】
本開示によれば、より的確に情報の漏洩を防止することの可能なデータ管理システムを提供できる。
【図面の簡単な説明】
【００１４】
【図１】図１は、実施形態のデータ管理システムの概略構成を示すブロック図である。
【図２】図２は、実施形態の監視システムの概略構成を示すブロック図である。
【図３】図３は、実施形態のサーバ装置の記憶媒体に記憶されている情報の一例を示す図表である。
【図４】図４は、実施形態のバーコードリーダにより撮影装置のバーコードが読み込まれる様子を模式的に示す図である。
【図５】図５は、実施形態の業務管理システムの記憶媒体に記憶されている情報の一例を示す図表である。
【発明を実施するための形態】
【００１５】
以下、データ管理システムの一実施形態について図面を参照しながら説明する。説明の理解を容易にするため、各図面において同一の構成要素に対しては可能な限り同一の符号を付して、重複する説明は省略する。
図１に示されるように、データ管理システム１０は、複数の撮影装置２０（１）〜２０（ｎ）に記憶されているデータを管理するシステムである。なお、「ｎ」は、２以上の整数である。また、撮影装置２０（ｍ）は、撮影装置２０（１）〜２０（ｎ）のうちの一つを示している。撮影装置２０（１）〜２０（ｎ）は、図２に示される監視システム３０に用いられる。監視システム３０は、パーソナルコンピュータや携帯端末等を通じて任意の場所の状況を監視することの可能なシステムである。はじめに、監視システム３０の概要について説明する。
【００１６】
図２に示されるように、監視システム３０は、撮影装置２０（１）〜２０（ｎ）と、無線通信部４０と、サーバ装置５０と、表示装置６０とを備えている。
撮影装置２０（１）〜２０（ｎ）は、監視システム３０を提供する事業者等が所有するものであって、当該事業者等と契約したユーザに貸し出される。撮影装置２０（１）〜２０（ｎ）は、ユーザの定めた任意の場所に設置されることにより、その場所の状況を撮像する。本実施形態では、撮影装置２０（１）〜２０（ｎ）が所定の機器に相当する。撮影装置２０（１）〜２０（ｎ）は同一の構造を有しているため、以下では、それらのうちの一つの撮影装置２０（ｍ）の構造について代表して説明する。
【００１７】
撮影装置２０（ｍ）は、制御部２１と、撮像素子２２と、記憶媒体２３とを備えている。
撮像素子２２は、ＣＣＤイメージセンサやＣＭＯＳイメージセンサ等からなるものであって、撮像領域内の被写体を撮像することにより画像データを生成するとともに、生成された画像データを制御部２１に送信する。
【００１８】
記憶媒体２３は、ＳＤカードを含むフラッシュメモリ等の不揮発性メモリからなる。記憶媒体２３では、データの書き込み及び読み込みが可能である。本実施形態では、記憶媒体２３が第１記憶媒体に相当する。
制御部２１は、ＣＰＵやＲＯＭ、ＲＡＭ等を有するマイクロコンピュータを中心に構成されている。制御部２１は、ＲＯＭに予め記憶されている各種プログラムを実行することにより撮影装置２０（ｍ）を制御するための各種処理を行う。
【００１９】
具体的には、制御部２１は、撮像素子２２から送信される画像データを所定の録画形式の映像データに変換するとともに、これにより作成された映像データを記憶媒体２３に常時記憶させる処理を行う。以下では、記憶媒体２３に記憶されている映像データを「補完用映像データ」とも称する。なお、本実施形態では、補完用映像データが、記憶媒体２３に記憶されている所定の情報に相当する。
【００２０】
また、制御部２１は、撮影装置２０（ｍ）とは別に設けられる無線通信部４０と有線通信可能に接続されている。制御部２１は、無線通信部４０を通じてネットワーク回線７０に接続されることにより、サーバ装置５０と通信可能となっている。制御部２１は、撮像素子２２から送信される画像データを所定の録画形式の映像データに変換するとともに、これにより作成された映像データをサーバ装置５０に無線通信部４０を介してリアルタイムで常時無線送信する。以下では、撮影装置２０（ｍ）からサーバ装置５０に常時送信されている映像データを「リアルタイム映像データ」とも称する。
【００２１】
撮影装置２０（ｍ）は、シリアルコード等の固有の識別コードをそれぞれ有している。シリアルコードは、複数の撮影装置２０（１）〜２０（ｎ）のそれぞれにおいて異なる。撮影装置２０（ｍ）の外面には、そのシリアルコードに対応するバーコード２４が貼り付けられている。
【００２２】
サーバ装置５０は、複数の撮影装置２０（１）〜２０（ｎ）からそれぞれ送信される映像データを記憶するとともに、表示装置６０からの要求に応じて映像データを表示装置６０に表示する。サーバ装置５０は、制御部５１と、記憶媒体５２とを備えている。
記憶媒体５２は、大容量のデータを記憶可能なハードディスクドライブ等からなる。記憶媒体５２では、データの書き込み及び読み込みが可能である。図３に示されるように、記憶媒体５２には、複数の撮影装置２０（１）〜２０（ｎ）のそれぞれのシリアルコードＳＣ（１）〜ＳＣ（ｎ）と、撮影装置２０（１）〜２０（ｎ）を使用するユーザにより設定された認証用ＩＤコードＩＤ（１）〜ＩＤ（ｎ）及びパスワードＰＷ（１）〜ＰＷ（ｎ）と、撮影装置２０（１）〜２０（ｎ）の設定情報ＳＩ（１）〜ＳＩ（ｎ）と、撮影装置２０（１）〜２０（ｎ）のステータス情報ＳＴ（１）〜ＳＴ（ｎ）とが関連付けられて記憶されている。本実施形態では、記憶媒体５２が第３記憶媒体に相当する。
【００２３】
撮影装置２０（１）〜２０（ｎ）の設定情報ＳＩ（１）〜ＳＩ（ｎ）とは、例えば撮像素子２２の露出情報や向き、撮像領域内の検知エリア等、撮影装置２０（１）〜２０（ｎ）においてユーザにより任意に設定可能な情報である。なお、撮像領域内の検知エリアとは、撮像領域内において監視を強化すべきエリアを示す。
【００２４】
撮影装置２０（１）〜２０（ｎ）のステータス情報ＳＴ（１）〜ＳＴ（ｎ）は、撮影装置２０（１）〜２０（ｎ）が出荷状態及び入庫状態のいずれの状態であるかを示すものである。出荷状態とは、撮影装置２０（１）〜２０（ｎ）がユーザに貸し出されている状態を示す。入庫状態とは、撮影装置２０（１）〜２０（ｎ）が事業者等により所有されている状態を示す。例えば事業者等からユーザに撮影装置２０（ｍ）が貸し出された場合、この撮影装置２０（ｍ）のステータス情報ＳＴ（ｍ）は入庫状態から出荷状態に変更される。また、ユーザから事業者等に撮影装置２０（ｍ）が返却された場合、この撮影装置２０（ｍ）のステータス情報ＳＴ（ｍ）は出荷状態から入庫状態に変更される。
【００２５】
制御部５１は、ＣＰＵやＲＯＭ、ＲＡＭ等を有するマイクロコンピュータを中心に構成されている。制御部５１は、ＲＯＭに予め記憶されている各種プログラムを実行することによりサーバ装置５０を制御するための各種処理を行う。例えば制御部５１は、撮影装置２０（１）〜２０（ｎ）の設定情報を撮影装置２０（１）〜２０（ｎ）に無線通信部４０を通じて送信することにより、撮像素子２２の露出や向き等をユーザの設定通りに制御する。また、制御部５１は、複数の撮影装置２０（１）〜２０（ｎ）からそれぞれ常時送信されるリアルタイム映像データを保存用映像データとして記憶媒体５２に記憶させる。この際、図３に示されるように、制御部５１は、撮影装置２０（１）〜２０（ｎ）のそれぞれに対応する保存用映像データＶＤ（１）〜ＶＤ（ｎ）を、撮影装置２０（１）〜２０（ｎ）のシリアルコードＳＣ（１）〜ＳＣ（ｎ）や認証用ＩＤコードＩＤ（１）〜ＩＤ（ｎ）と関連付けて記憶媒体５２に記憶させる。
【００２６】
なお、本実施形態では、記憶媒体５２に記憶されているシリアルコードＳＣ（１）〜ＳＣ（ｎ）、認証用ＩＤコードＩＤ（１）〜ＩＤ（ｎ）、パスワードＰＷ（１）〜ＰＷ（ｎ）、設定情報ＳＩ（１）〜ＳＩ（ｎ）、及び保存用映像データＶＤ（１）〜ＶＤ（ｎ）等が、撮影装置２０（１）〜２０（ｎ）に対応した個別情報に相当する。
【００２７】
表示装置６０は、ディスプレイや入力部を備えるパーソナルコンピュータや携帯端末等からなる。表示装置６０は、例えばユーザが入力部を操作して認証用ＩＤコード及びパスワードを入力すると、それらの情報をサーバ装置５０に無線通信部４０を介して送信する。サーバ装置５０は、表示装置６０から送信される認証用ＩＤコード及びパスワードと、記憶媒体５２に記憶された認証用ＩＤコード及びパスワードとを照合することにより、ユーザを認証する。サーバ装置５０は、それらの情報が互いに一致することをもってユーザの認証が成立したと判定し、認証用ＩＤコードに対応した撮影装置の保存用映像データを記憶媒体５２から読み込んで表示装置６０に送信する。
【００２８】
例えば認証の成立した認証用ＩＤコードが撮影装置２０（ｍ）に対応した認証用ＩＤコードＩＤ（ｍ）である場合、サーバ装置５０は、撮影装置２０（ｍ）の保存用映像データＶＤ（ｍ）を記憶媒体５２から読み込んで表示装置６０に送信する。これにより、サーバ装置５０から送信される保存用映像データＶＤ（ｍ）が表示装置６０のディスプレイに表示される。よって、表示装置６０を操作しているユーザは、表示装置６０に表示される保存用映像データＶＤ（ｍ）を通じて、撮影装置２０（ｍ）により撮影されている場所の映像データを見ることにより、その場所を監視することができる。
【００２９】
一方、このような監視システム３０では、撮影装置２０（１）〜２０（ｎ）とサーバ装置５０との無線通信が不安定な状況になると、撮影装置２０（１）〜２０（ｎ）から送信されるリアルタイム映像データをサーバ装置５０が適切に受信できない可能性がある。このような状況では、サーバ装置５０の制御部５１は、適切な保存用映像データを記憶媒体５２に記憶させることができないため、結果的に記憶媒体５２に記憶されている保存用映像データに欠損が生じる。
【００３０】
これに対応すべく、サーバ装置５０の制御部５１は、保存用映像データに欠損が生じていると判定した場合には、その欠損部分に対応する補完用映像データを撮影装置２０（１）〜２０（ｎ）から取得することにより、保存用映像データの欠損部分を補完する。
ところで、このような監視システム３０では、例えば所定のユーザに貸し出されていた撮影装置２０（ｍ）が返却された場合、この撮影装置２０（ｍ）を別のユーザに貸し出す場合がある。この際、撮影装置２０（ｍ）に記憶されている情報や、サーバ装置５０に記憶されている撮影装置２０（ｍ）の関連情報が別のユーザに漏洩すると好ましくない。図１に示されるデータ管理システム１０は、このような情報漏洩を防止するためのシステムである。図１に示されるように、データ管理システム１０は、撮影装置２０（１）〜２０（ｎ）及びサーバ装置５０の他、バーコードリーダ８０と、業務管理システム９０とを備えている。
【００３１】
バーコードリーダ８０は、撮影装置２０（１）〜２０（ｎ）に貼り付けられているバーコード２４を読み込むための装置である。例えばユーザから撮影装置２０（ｍ）が事業者に返却されると、事業者等の従業員は、図４に示されるように、その返却された撮影装置２０（ｍ）のバーコード２４をバーコードリーダ８０により読み込む。バーコードリーダ８０は、読み込んだバーコード２４に含まれる情報、すなわち返却された撮影装置２０（ｍ）のシリアルコードＳＣ（ｍ）を有線通信又は無線通信により業務管理システム９０に送信する。本実施形態では、バーコードリーダ８０が識別コード読込部に相当する。
【００３２】
業務管理システム９０は、バーコードリーダ８０から送信されるシリアルコードに基づいて撮影装置２０（１）〜２０（ｎ）のそれぞれの情報を管理する。業務管理システム９０は、インターフェース部９１と、制御部９２と、記憶媒体９３と、通信部９４とを備えている。
【００３３】
インターフェース部９１は、バーコードリーダ８０が接続される部分である。インターフェース部９１は、バーコードリーダ８０から送信される撮影装置２０（１）〜２０（ｎ）のシリアルコードＳＣ（１）〜ＳＣ（ｎ）を制御部９２に送信する。
制御部９２は、ＣＰＵやＲＯＭ、ＲＡＭ等を有するマイクロコンピュータを中心に構成されている。制御部９２は、ＲＯＭに予め記憶されているプログラムを実行することにより、インターフェース部９１から送信されるシリアルコードＳＣ（１）〜ＳＣ（ｎ）に基づいて、記憶媒体９３に記憶されている撮影装置２０（１）〜２０（ｎ）の情報を変更する処理を行う。記憶媒体９３は、大容量のデータを記憶可能なハードディスクドライブ等からなる。
【００３４】
具体的には、図５に示されるように、記憶媒体９３には、撮影装置２０（１）〜２０（ｎ）のシリアルコードＳＣ（１）〜ＳＣ（ｎ）と、撮影装置２０（１）〜２０（ｎ）のステータス情報ＳＴ（１）〜ＳＴ（ｎ）とが関連付けられて記憶されている。例えばユーザから事業者等に撮影装置２０（ｍ）が返却された際に、バーコードリーダ８０からインターフェース部９１を介して送信される撮影装置２０（ｍ）のシリアルコードＳＣ（ｍ）を制御部９２が受信すると、制御部９２は、記憶媒体９３に記憶されているシリアルコードＳＣ（ｍ）に対応するステータス情報ＳＴ（ｍ）を出荷状態から入庫状態に変更する。同様に、事業者等からユーザに撮影装置２０（ｍ）が貸し出された場合には、この撮影装置２０（ｍ）のシリアルコードＳＣ（ｍ）に対応するステータス情報ＳＴ（ｍ）が入庫状態から出荷状態に変更される。本実施形態では、記憶媒体９３が、第２記憶媒体に相当する。
【００３５】
制御部９２は、通信部９４を介してネットワーク回線７０に接続されることにより、サーバ装置５０と通信可能となっている。制御部９２は、例えばサーバ装置５０からの要求に応じて、撮影装置２０（１）〜２０（ｎ）のステータス情報ＳＴ（１）〜ＳＴ（ｎ）をサーバ装置５０に送信する。
【００３６】
サーバ装置５０の制御部５１は、データ管理システム１０から撮影装置２０（１）〜２０（ｎ）のステータス情報を所定の周期で取得する。制御部５１は、データ管理システム１０から取得する撮影装置２０（１）〜２０（ｎ）のステータス情報ＳＴ（１）〜ＳＴ（ｎ）に基づいて、記憶媒体５２に記憶されている撮影装置２０（１）〜２０（ｎ）のステータス情報ＳＴ（１）〜ＳＴ（ｎ）を更新する。例えば、制御部９２は、データ管理システム１０から取得した撮影装置２０（１）〜２０（ｎ）のステータス情報ＳＴ（１）〜ＳＴ（ｎ）のうち、撮影装置２０（ｍ）のステータス情報ＳＴ（ｍ）が出荷状態から入庫状態に変更されている場合には、記憶媒体５２に記憶されている撮影装置２０（ｍ）のステータス情報ＳＴ（ｍ）を出荷状態から入庫状態に変更する。
【００３７】
また、制御部５１は、撮影装置２０（１）〜２０（ｎ）のステータス情報ＳＴ（１）〜ＳＴ（ｎ）が出荷状態から入庫状態に変更された場合、入庫状態に変更された撮影装置に関連する情報を消去する処理を実行する。
例えば、制御部５１は、撮影装置２０（ｍ）のステータス情報ＳＴ（ｍ）が出荷状態から入庫状態に変更された場合、記憶媒体５２に記憶されている撮影装置２０（ｍ）に対応する認証用ＩＤコードＩＤ（ｍ）、パスワードＰＷ（ｍ）、及び設定情報ＳＩ（ｍ）を初期化する。認証用ＩＤコードＩＤ（ｍ）及びパスワードＰＷ（ｍ）の初期化は、例えばそれらの情報を消去することにより行われる。設定情報ＳＩ（ｍ）の初期化は、例えば設定情報をデフォルトの設定値に変更することにより行われる。
【００３８】
また、制御部５１は、撮影装置２０（ｍ）のステータス情報ＳＴ（ｍ）が出荷状態から入庫状態に変更された場合、記憶媒体２３に記憶された情報の初期化指令を撮影装置２０（ｍ）に送信する。サーバ装置５０の制御部５１から撮影装置２０（ｍ）に送信される初期化指令は、無線通信部４０を介して撮影装置２０（ｍ）の制御部２１により受信される。制御部２１は、初期化指令を受信すると、記憶媒体２３に記憶されている補完用映像データ等を初期化する。具体的には、制御部２１は、記憶媒体２３に記憶されている補完用映像データ等を消去する。
【００３９】
以上説明した本実施形態のデータ管理システム１０によれば、以下の（１）及び（２）に示される作用及び効果を得ることができる。
（１）業務管理システム９０の制御部９２は、例えばバーコードリーダ８０により撮影装置２０（ｍ）のシリアルコードＳＣ（ｍ）が読み込まれると、記憶媒体９３に記憶されたシリアルコードＳＣ（ｍ）に対応するステータス情報ＳＴ（ｍ）を出荷状態から入庫状態に変更する。また、サーバ装置５０は、シリアルコードＳＣ（ｍ）に対応するステータス情報ＳＴ（ｍ）が出荷状態から入庫状態に変更されることに基づいて、初期化指令を撮影装置２０（ｍ）に送信する。これにより、撮影装置２０（ｍ）がユーザから事業者等に返却された後、撮影装置２０（ｍ）のシリアルコードＳＣ（ｍ）がバーコードリーダ８０により読み込まれると、撮影装置２０（ｍ）の記憶媒体２３に記憶された補完用映像データ等が自動的に初期化されるため、より的確に情報の漏洩を防止することが可能となる。
【００４０】
（２）サーバ装置５０は、例えば業務管理システム９０の記憶媒体９３に記憶されたシリアルコードＳＣ（ｍ）に対応するステータス情報ＳＴ（ｍ）が出荷状態から入庫状態に変更されることに基づいて、記憶媒体５２に記憶されている認証用ＩＤコードＩＤ（ｍ）等の撮影装置２０（ｍ）に対応した個別情報を初期化する。これにより、サーバ装置５０の記憶媒体５２に記憶されている、撮影装置２０（ｍ）に対応した個別情報の漏洩をより的確に防止することが可能となる。
【００４１】
なお、上記実施形態は、以下の形態にて実施することもできる。
・撮影装置２０（１）〜２０（ｎ）に用いられる識別コードは、シリアルコードＳＣ（１）〜ＳＣ（ｎ）に限らず、任意の識別コードを用いることができる。
【００４２】
・撮影装置２０（１）〜２０（ｎ）のシリアルコードＳＣ（１）〜ＳＣ（ｎ）に対応した情報媒体は、バーコード２４に限らず、ＲＦＩＤ等のＩＣタグを用いることも可能である。これに合わせて、データ管理システム１０は、バーコードリーダ８０に代えて、ＩＣタグを読み込むためのスキャナ装置等を用いることも可能である。
【００４３】
・データ管理システム１０及び監視システム３０は、撮影装置２０（１）〜２０（ｎ）に代えて、周辺の環境情報を検知する検知装置を用いるものであってもよい。検知装置は、周辺の環境情報として、検知装置の周辺の温度、湿度、風速、及び人の検知情報等を検知するものである。このような検知装置を用いるデータ管理システム及び監視システムにおいて上記実施形態の構成を用いれば、上記実施形態と同一又は類似の作用及び効果を得ることが可能である。
【００４４】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００４５】
１０：データ管理システム
２０（１）〜２０（ｎ）：撮影装置（機器）
２３：記憶媒体（第１記憶媒体）
５０：サーバ装置
５２：記憶媒体（第３記憶媒体）
８０：バーコードリーダ（識別コード読込部）
９２：制御部
９３：記憶媒体（第２記憶媒体）
【図１】
2019128649.tif 000003
【図２】
2019128649.tif 000004
【図３】
2019128649.tif 000005
【図４】
2019128649.tif 000006
【図５】
2019128649.tif 000007